Podtech/llm-jp-corpus-v4-ja_patent huggingface dataset:
(57)【要約】      （修正有）【課題】浴槽や水槽（タンク）に給湯（給水）する湯や水を効率良くオーバーフローさせて、浴槽内の湯温が、浴槽上部と浴槽下部で温度差がないようにし、浴槽や水槽（タンク）の下部に湯の花や、髪の毛や、ごみが溜まることのない浴槽や水槽のオーバーフロー調整装置を提供する。【解決手段】浴槽や水槽の底面と、同底面と隙間を有して吸水口２ｂを一端側に配設した吸水管２と、吸水管２の中途に排水管２０を接続し、他側にエアー抜き２ａを設けると共に、該吸水管の中途接続部に、一端が接続されて、他端の廃水口が前記浴槽や水槽の外に配管された排水管２０からなる浴槽や水槽のオーバーフロー調整装置で、吸水管２と上記排水管２０との接続部が、浴槽や水槽の上縁面より下方に配置して浴槽や水槽のオーバーフロー調整装置を構成する。【選択図】図１
0003156914.tif 000002
【実用新案登録請求の範囲】
【請求項１】
浴槽や水槽の底面と、同底面と隙間を有して吸水口を一端側に配設した  吸水管と、同  吸水管の中途に  排水管を接続し、他側にエアー抜きを設けると共に、該吸水管の中途接続部に、一端が接続されて、他端の廃水口が前記浴槽や水槽の外に配管された  排水管からなることを特徴とする浴槽や水槽のオーバーフロー調整装置。
【請求項２】
上記  吸水管と上記  排水管との上記接続部が、上記浴槽や水槽の上縁面より下方に配置したことを特徴とする請求項１に記載の温泉湯温度。
【考案の詳細な説明】
【技術分野】
【０００１】  浴槽や水槽（タンク）のオーバーフロー調整装置に関する。
【背景技術】
【０００２】  浴槽や水槽では、お湯や水を浴槽や水槽の上縁からオーバーフローしていたので、浴槽に熱い湯を注いでも、浴槽上部の熱い湯がオーバーフローして捨てられていた。そのため、浴槽内は、浴槽上部の熱い湯が、浴槽下部にぬるい湯が溜まるために、時々湯かき棒で浴槽内の湯を攪拌する必要があつた。また、浴槽や水槽では、上部の湯や水のみがオーバーフローして捨てられるために、浴槽や水槽の底部には、湯の花や、髪の毛や、ごみが溜まり、定期的に除去する必要があつた。
【先行技術文献】
【特許文献】
【特許文献１】
【考案の概要】
【考案が解決しようとする課題】
【０００３】  本考案は、浴槽や水槽（タンク）に給湯（給水）する湯や水を効率良くオーバーフローさせて、浴槽内の湯温が、浴槽上部と浴槽下部で温度差がないようにし、浴槽や水槽（タンク）の下部に湯の花や、髪の毛や、ごみが溜まることない浴槽や水槽のオーバーフロー調整装置を提供する。
【課題を解決するための手段】
【０００４】  本考案は、浴槽や水槽の底面と、同底面と隙間を有して吸水口を一端側に配設した  吸水管と、同  吸水管の中途に  排水管を接続し、他側にエアー抜きを設けると共に、該  吸水管の中途接続部に、一端が接続されて、他端の廃水口が前記浴槽や水槽の外に配管された  排水管からなる浴槽や水槽のオーバーフロー調整装置で、  吸水管と上記  排水管との接続部が、浴槽や水槽の上縁面より下方に配置したことを特徴とする。
【考案の効果】
【０００５】  本考案は、上記構成としたので、浴槽内の湯温が、浴槽上部と浴槽下部で温度差がないようになり、浴槽や水槽（タンク）の下部に湯の花や、髪の毛や、ごみなどが溜まることない浴槽や水槽のオーバーフロー調整装置を提供することが可能となった。
【図面の簡単な説明】
【０００６】
【図１】本考案に係る浴槽や水槽のオーバーフロー調整装置の一実施例を示す縦断面図である。
【図２】本考案に係る浴槽や水槽のオーバーフロー調整装置の他実施例を示す縦断面図である。
【考案を実施するための形態】
【０００７】  本考案に係る具体例を、図１と図２を参照して以下に説明する。
【実施例】
【０００８】図１に図示するように、本実施例では、  吸水管２を風呂湯ぶね（湯つぼ）１、若しくは貯水槽の底面４と、隙間を有して  吸水管２の一端側に吸水口２ｂを配設し、  吸水管２の中途に  排水管２０との接続部２ｃを、  吸水管２の他側にエアー抜き２ａを設けて、吸水管２の中途接続部２ｃには、  排水管２０一端を接続して、  排水管２０他端の廃水口２０ｂは、風呂湯ぶねや湯つぼ１の外に配管した。図１中の符号４は給湯口を示す。
図２は、  吸水管２と  排水管２０が一体形成されたエルボ管を用いた実施例を示し、吸水管２の  排水管２０とのエルボ接続部２０ａにエアー抜き２ａを設けた事例である。
【産業上の利用可能性】
【０００９】    本考案は、温泉や風呂湯つぼに限らず、流水を利用した洗い場の貯水槽に本考案の水    槽のオーバーフロー調整装置を取り付ければ、大根などを洗った後に、洗い場の貯水    槽（池）の底に沈殿する泥なども自然に排出できる。
【符号の説明】
【００１０】１：風呂湯ぶね（湯つぼ）（貯水槽）
２：  吸水管
２ａ：  吸水管のエアー抜き
２ｂ：  吸水管の吸水口
２ｃ：  吸水管の  排水管との接続部
２０：  排水管
２０ａ：  排水管の  吸水管との接続部
２０ｂ：  排水管の廃水口
３：給湯口
４：風呂湯ぶね（湯つぼ）の床面（底面）
【図１】
0003156914.tif 000003
【図２】
0003156914.tif 000004
【手続補正書】
【提出日】平成21年8月19日(2009.8.19)
【手続補正２】
【補正対象書類名】実用新案登録請求の範囲
【補正対象項目名】全文
【補正方法】変更
【補正の内容】
【実用新案登録請求の範囲】
【請求項１】
浴槽や水槽の底面と、同底面と間隔を有して吸込口を一端側に配設した吸水菅と、同吸水菅の中途に排水管を接続して他側にエアー抜きを設けると共に、該吸水菅の中途接続部に一端が接続されて、他端の廃水口が前記浴槽や水槽の外に配管された前記排水管からなることを特徴とする浴槽や水槽のオーバーフロー調整装置。
【請求項２】
上記吸水菅と上記排水管との上記接続部が、上記浴槽や水槽の上縁面より下方に配設したことを特徴とする特徴とする請求項１に記載の浴槽や水槽のオーバーフロー調整装置。
【手続補正書】
【提出日】平成21年10月27日(2009.10.27)
【手続補正２】
【補正対象書類名】実用新案登録請求の範囲
【補正対象項目名】全文
【補正方法】変更
【補正の内容】
【実用新案登録請求の範囲】
【請求項１】
浴槽や水槽の底面と、同底面と間隔を有して吸込口を一端側に配設した吸水菅と、同吸水菅の中途に排水管を接続して他側にエアー抜きを設けると共に、該吸水菅の中途接続部に一端が接続されて、他端の廃水口が前記浴槽や水槽の外に配管された前記排水管からなることを特徴とする浴槽や水槽のオーバーフロー調整装置。
【請求項２】
上記吸水菅と上記排水管との上記接続部が、上記浴槽や水槽の上縁面より下方に配設したことを特徴とする請求項１に記載の浴槽や水槽のオーバーフロー調整装置。
(57)【要約】      （修正有）【課題】ネジブタがなく、廃棄が容易なペットボトルを提供する。【解決手段】筒状のカプセルの側面にストローを設ける。【選択図】図３
0003156916.tif 000002
【実用新案登録請求の範囲】
【請求項１】
ペットボトルのネジブタを取り除いた、ふた無しストロー付きペットボトル
【請求項２】
ふた無しペットボトルの側面にストローを設置したふた無しストロー付きペットボトル
【考案の詳細な説明】
【技術分野】
【０００１】  本考案は現在のペットボトルのネジブタをなくし、側面にストローを取り付けたふた無しストロー付きペットボトルである。
【背景技術】
【０００２】  飲料水を飲むつどにネジブタを開閉し、又ペットボトルを廃棄する際にはネジブタとペットボトルを別々に処理せねばならぬ、手間がかかっていた。
【先行技術文献】
【特許文献】
【０００３】
【特許文献１】
【非特許文献】
【０００４】
【非特許文献１】
【考案の概要】
【考案が解決しようとする課題】
【０００５】  現在のペットボトルはネジブタを使用しているので、飲み終わったペットボトルの処理に困難を生じていた。
【課題を解決するための手段】
【０００６】  現在のペットボトルからネジブタを取り除きペットボトル中央部にストローを設置、中央部にストロー収納溝と収納溝の中央にストロー止めイボを設け飲料水を飲むときに丸型ペットボトルを握ることでストロー止めイボよりストローが飛び出る。ストローを収納するときはストローを押し込む。又、ふた無しストロー付きペットボトルの場合はネジブタが無いのでそのままの状態で廃棄しやすいように考案されている。
【考案の効果】
【０００７】  ペットボトルのネジブタ部分が無くなる事により廃棄する際も簡単に廃棄できネジブタを開閉する作業が省かれ、運転中、作業中などのような場合でも片手ですぐに飲料水を飲むことが出来、又病人等も寝たままの状態で片手で簡単に飲むことが出来るふた無しストローつきペットボトル。
【図面の簡単な説明】
【０００８】
【図１】従来のペットボトル正面図である。
【図２】収納斜面図
【図３】本考案ふた無しストロー付きペットボトル
【考案を実施するための形態】
【０００９】  現在のペットボトルからネジブタを取り除き、ふた無しペットボトルの中央にストロー収納溝とストロー止めイボを設け、飲料水を飲むときはふた無しペットボトルを握ることでストロー止めイボよりストローが飛び出る。収納時はストローを押し込む。
【実施例】
【００１０】  ふた無しペットボトル６にストロー収納溝４を設け、その下部にストロー３を設ける。ストロー収納溝４の中央部にストロー止めイボ５を設置しストロー３の飛び出しを防ぐ。丸型ペットボトル６を握ることでストロー３が飛び出る。使用後はストロー３をストロー収納溝４に押し入れるふた無しストロー付きペットボトル。
【符号の説明】
【００１１】  １  ペットボトル
２  ネジブタ
３  ストロー
４  ストロー収納溝
５  ストロー止めイボ
６  ふた無しペットボトル
【図１】
0003156916.tif 000003
【図２】
0003156916.tif 000004
【図３】
0003156916.tif 000005
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのネジブタ部分を取り除く事で、ペットボトルを上下にゆすってもこぼれないようにこのペットボトルは筒状カプセルとなっている。筒状になったペットボトルの側面に中の飲料水が飲めるようにストローを設けたふた無しストロー付きペットボトル。
【手続補正書】
【提出日】平成21年11月4日(2009.11.4)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのネジブタ部分を取り除く事で、ペットボトルを上下にゆすってもこぼれないようにこのペットボトルは筒状カプセルとなっているため、筒状になったペットボトルの側面に中の飲料水が飲めるようにストローを設けたふた無しストロー付きペットボトル。
(57)【要約】      （修正有）【課題】ゴキブリやクモなどの害虫を退治する際殺虫スプレーを無駄に噴出させながら追いかけ回すことなく、容易に捕獲できる容器を提供する。【解決手段】透明もしくは半透明のカップ状の容器１の底部に、外側から内側に向けて殺虫スプレーを噴出する為の穴もしくは網状の部位を設けて捕獲容器を構成する。使用に当たっては、該容器１をゴキブリ５などにかぶせて捕獲し、上の穴から殺虫スプレー４などで退治する。さらに容器１を用いてゴキブリなどを捕獲し、その下に紙や下敷きなどを差し込む事により、床、畳やじゅうたんなどを汚すこと無く殺虫スプレーを噴出することもできる。【選択図】図３
0003156911.tif 000002
【実用新案登録請求の範囲】
【請求項１】
透明もしくは半透明のカップ状の容器の底部に、外側から内側に向けて殺虫スプレーを噴出する為の穴もしくは網状の部位を設ける。
【考案の詳細な説明】
【技術分野】
【０００１】本考案は殺虫スプレーの支援用具である。
【背景技術】
【０００２】ゴキブリやクモなどの害虫を退治する際殺虫スプレーを噴出させながら追いかけ回していた。
【考案の開示】
【考案が解決しようとする課題】
【０００３】ゴキブリやクモなどの害虫を退治する際殺虫スプレーを無駄に噴出させながら追いかけ回し、あげく、逃げられていた。
【課題を解決するための手段】
【０００４】カップ状の容器の底部に穴などを開けた用具で、ゴキブリなどにかぶせて捕獲し、上の穴から殺虫スプレーなどで退治するものである。
【考案の効果】
【０００５】上記のように本考案を用いることで効率よくゴキブリなどを退治する事ができ、無駄に殺虫スプレーを噴出しまくる事もなくて済む。【０００６】本考案を用いてゴキブリなどを捕獲し、その下に紙や下敷きなどを差し込む事により、床  畳  じゅうたん  などを汚すこと無く殺虫スプレーを噴出することができる。【０００７】本考案を使用する事により、殺さず捕獲するだけも可能である。
【図面の簡単な説明】
【０００８】
【図１】本考案の本体の斜視図である
【図２】本考案の本体を逆さにした斜視図である
【図３】本考案の使用例の斜視図である。
【図４】使用時に本考案の本体と床などの隙間に紙又は下敷き等を差し込むところの斜視図である。
【符号の説明】
【０００９】１  本体
２  穴又は網部
３  手
４  殺虫スプレー
５  害虫など
６  紙又は下敷きなど
【図１】
0003156911.tif 000003
【図２】
0003156911.tif 000004
【図３】
0003156911.tif 000005
【図４】
0003156911.tif 000006
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
透明もしくは半透明のカップ状の容器の底部に、外側から内側に向けて殺虫スプレーを噴出する為の穴もしくは網状の部位を特徴とする捕獲容器。
(57)【要約】      （修正有）【課題】バインダーをはじめ、本カバー、さらに箱などの蓋にも応用出来、長年使用でも緩みやガタツキが生じない、開閉板自体を蝶番として強度を増した開閉構造を提供する。【解決手段】接する両辺の板部自体を蝶番化するために、板を石畳組み接ぎに似た形に加工し、それぞれの板を組み合わせる。さらに板の中に鋼鉄の棒を埋め込み、その上から蓋をして金属の蝶番を使用せずに２枚の木材板自体を蝶番とする。【選択図】図１
0003156918.tif 000002
【実用新案登録請求の範囲】
【請求項１】
板２枚を伝統的な石畳組み接ぎと似た構造で接合した開閉方式。
金属の蝶番を使用せずに２枚の木材板自体を蝶番とする。
バインダーをはじめ、本カバー、さらに箱などの蓋にも応用出来る技術。
【考案の詳細な説明】
【技術分野】
【０００１】  本考案は、バインダー、製本、箱の接合部に関するものである。
【背景技術】
【０００２】  板同士で開閉部を作るためには、今まで金属製の蝶番を用いるしか方法がなかった。
【先行技術文献】
無し
【特許物件】
無し
【考案の概要】
【考案が解決しようとする課題】
【０００３】  開閉部に金属製の蝶番を取り付けると、長年使用の場合緩みが生じガタツキがおきてしまう。開閉板自体を蝶番とすることで強度を増す構造。
【課題を解決するための手段】
【０００４】  板２枚を伝統的な石畳組み接ぎと似た構造で接合した開閉方式。
接する両辺の板部自体を蝶番化するために、板を石畳組み接ぎに似た形に加工し、それぞれの板を組み合わせる。
さらに板の中に鋼鉄の棒を埋め込み、その上から蓋をする。
金属の蝶番を使用せずに２枚の木材板自体を蝶番とする。
バインダーをはじめ、本カバー、さらに箱などの蓋にも応用出来る技術。
【考案の効果】
【０００５】  金属蝶番がないため不安定でぎくしゃくした開閉感が無くなり、接合部分が石畳組み接ぎ構造なので強度が増す。
見た目も金属蝶番がないためスッキリした外観となる。
【図面の簡単な説明】
【０００６】
【図１】本考案の構造分解図である。
【図２】開閉部構造（折り畳み時）の外観図である。
【考案を実施するための形態】
【０００７】  金属蝶番を使用した場合に起きるぐらつき、不安定感が無く、金属蝶番が表に出ないのでスッキリした外観になる。
また、この技術はバインダー、製本、箱の接合部に使用が出来る。
【実施例】
【０００８】  板自体が蝶番になっているため耐久性に優れているので、長期使用が可能であり、重要な書類の保管に適している。【０００９】  接合部に隙間があるために通気性がある。【００１０】  開いた時に板部表紙が完全な１枚の板となるために、バインダーに使用した場合、表紙の戻りがなく、ノート・ファイルの取り替え作業がスムーズである。
【符号の説明】
【００１１】▲１▼ピアノ（鋼鉄）線
▲２▼背表紙板
▲３▼表紙板
▲４▼ミゾ
▲５▼フタ
▲６▼木製石畳組み接ぎ構造
【図１】
0003156918.tif 000003
【図２】
0003156918.tif 000004
【手続補正書】
【提出日】平成21年10月19日(2009.10.19)
【手続補正１】
【補正対象書類名】実用新案登録請求の範囲
【補正対象項目名】全文
【補正方法】変更
【補正の内容】
【実用新案登録請求の範囲】
【請求項１】
２枚の板を石畳組み接ぎと似た構造で接合することで、金属の蝶番を使用せずに２枚の木材板自体を蝶番とする開閉構造。
(57)【要約】      （修正有）【課題】カラスにゴミ袋を破られなくするゴミの散乱防止カバーを提供する。【解決手段】ビニール製の布を四角に切り、四方に錘を高周波で圧する。【選択図】図３
0003156907.tif 000002
【実用新案登録請求の範囲】
【請求項１】
本製品はビニール製とする
【請求項２】
ビニール製の布の４方に錘をつけたもの
【考案の詳細な説明】
【考案の詳細な説明】
【考案に属する技術分野】
ビニール製で作る為錘を高周波で圧着出来しかも手間が掛からない為非常に安くつることが出来ミシンで縫い付けると、糸目が点線となり破れやすくなり、糸が汚れて見た目にもきたない。
本品を水洗いしていると、糸が切れることがあるが、高周波の場合はその心配がない
【背景技術】ブルーシートやネットで出来た網をゴミ袋の上に掛けて、いたが風で飛ぶので石などをのしたりしていた、都会の美観を損なうので黄色などで色を統一すると良い、特にカラスは黄色が嫌がると言われているし、ゴミを収集人にすぐ目立つから喜ばれる
【考案が解決しようとする課題】
ゴミ袋が紙であるため雨が降ると濡れて破れるけれど、ビニール製だとぬれることもないし、４方に錘があると風にゴミが散らばらない、カラスが近づかなくなるし、市町村などでまとめると色をそろえることが出来るゴミの収集が便利である
【図面の簡単な説明】
【図１】カラスによる散乱防止カバーの平面図
【図２】本品の断面図
【図３】カラスによる散乱防止カバーの実施斜視図
【符号の説明】
１．ビニールレザー本体
２．端を折り曲げて高周波で接着の断面図Ａ−Ａ  Ｂ−Ｂ
【図１】
0003156907.tif 000003
【図２】
0003156907.tif 000004
【図３】
0003156907.tif 000005
【手続補正書】
【提出日】平成21年3月16日(2009.3.16)
【手続補正１】
【補正対象書類名】実用新案登録請求の範囲
【補正対象項目名】全文
【補正方法】変更
【補正の内容】
【実用新案登録請求の範囲】
【請求項１】
本品はビニール製でカラスによるゴミの散乱を防止するためゴミの紙袋の上に掛ける
【請求項２】
ビニール製の布を４角に切りその４方に錘をつけカラスの嘴で容易に引っ張れないためゴミの上にが散乱しない用にカバーする
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
本品はビニール製の布状のものでカラスによるゴミの散乱を防止するためゴミの紙袋の上に掛ける散乱防止カバー（注）ビニール製でも網状のものがあるが中が見えてカラスが嘴で簡単にひっぱることが出来る
【請求項２】
ビニール製の布を４角に切りその４方に錘を高周波で圧してカラスの嘴で容易に引っ張れないようにしゴみの紙袋の中身が散乱しないように掛ける散乱防止カバー
【手続補正書】
【提出日】平成21年9月20日(2009.9.20)
【手続補正１】
【補正対象書類名】実用新案登録請求の範囲
【補正対象項目名】全文
【補正方法】変更
【補正の内容】
【実用新案登録請求の範囲】
【請求項１】
本品はビニール製の布状のものでカラスによるゴミの散乱を防止するためゴミの紙袋の上に掛ける散乱防止カバー
【請求項２】
ビニール製の布を４角に切りその４方に錘を高周波で圧してカラスの嘴で容易に引っ張れないようにしゴみの紙袋の中身が散乱しないように掛ける散乱防止カバー
(57)【要約】      （修正有）【課題】流動接触分解装置のサイクロン、ドライヤーはもちろん付帯機器まで使わなくて済む省エネ、省コスト、高い安全性を持つ固定触媒重質油分解装置を提供する。【解決手段】流動接触分解装置リジェンタワーからリアクターへ抜ける分解ライン内に固定触媒層を設置する。固定触媒重質油分解装置に転化する事により、従来の流動触媒よりムラなくナフサに分解出来、静電気の発生も抑えられサイクロン等も必要なく付帯機器が大幅に削減され触媒の飛散もなく、省スペースはもちろん大幅なコストダウン、安全性も向上する。【選択図】図−１
0003156908.tif 000002
【実用新案登録請求の範囲】
【請求項１】
流動接触分解装置リジェンタワーからリアクターへ抜ける分解ライン中に固定触媒層を設置する。図−１参照
【考案の詳細な説明】
【技術分野】
【０００１】本発明は、流動接触分解装置リジェンタワーからリアクターへ抜けるライン内に固定触媒充填層を設置し固定触媒重質油分解装置に変える。図−１参照
【背景技術】
【０００２】従来の技術では、ベーパーライズしたオイルに触媒を反対方向から吹きつける交流接触という形を取っているために、静電気の発生、サイクロンでの触媒の飛散等による公害や触媒の損失等が、見られた。
【考案の概要】
【考案が解決しようとする課題】〔プラントの省スペース化、公害防止、触媒の損失無し運転コスト削減、省熱エネルギー、省電力、人件費削減安全性の向上。〕
【課題を解決するための手段】〔リジェンからリアクターへ抜ける分解ラインに固定触媒層を設置する〕図−１参照
【考案の効果】〔固定触媒重質油分解装置に、転化する事により従来の流動触媒よりムラなくナフサに分解出来る又静電気の発生も抑えられサイクロン等も必要なく付帯機器が大幅に削減され触媒の飛散（損失）もなく省スペースはもちろん大幅なコストダウンはもちろん安全性も向上する。〕
【図面の簡単な説明】〔流動接触分解装置リジェンタワーからリアクターへ抜ける分解ライン内に固定触媒層を設置した平面図である〕
【図−１】流動接触分解装置リジェンタワーからリアクターへ抜ける分解ラインの平面図である。
【考案を実施するための形態】
〔リジェンからリアクターへ抜ける分解ライン内に固定触媒層を設置する。〕
【産業上の利用可能性】〔何よりも安全性、公害無し、低コスト化が基本である装置産業において、この考案は理論的にもかなっており実現可能で利用可能性はかなり高い〕
【図−１】
0003156908.tif 000003
【手続補正書】
【提出日】平成21年5月18日(2009.5.18)
【手続補正１】
【補正対象書類名】実用新案登録請求の範囲
【補正対象項目名】全文
【補正方法】変更
【補正の内容】
【実用新案登録請求の範囲】
【請求項１】
流動接触分解装置のリジェンタワーより焚き上げた重質油はベーパーライズしてリアクターへ向かうがこのライン中に固定触媒層を設置する
このライン中の固定触媒層に触れたオイル（ベーパーライズ）は分解され軽質留分（ナフサ）という形となるつまり固定触媒重質油分解装置。
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
0003156908.tif 000004
リアクターへ抜ける流動接触ライン巾に固定触媒層を設置することにより固定触媒重質油分解装置。
【手続補正２】
【補正対象書類名】図面
【補正対象項目名】全図
【補正方法】変更
【補正の内容】
【図−１】
0003156908.tif 000005
【手続補正書】
【提出日】平成21年10月26日(2009.10.26)
【手続補正１】
【補正対象書類名】実用新案登録請求の範囲
【補正対象項目名】全文
【補正方法】変更
【補正の内容】
【実用新案登録請求の範囲】
【請求項１】
流動接触分解装置のリジェンタワーとリアクターと流動接触分解装置のリジェンタワーからリアクターへ抜ける流動接触ラインとを有する固定触媒重質油分解装置において、前記流動接触ライン内に固定触媒層が設置された固定触媒重質油分解装置。
(57)【要約】      （修正有）【課題】ズボンや長袖シャツを電気洗濯機で洗うとき、洗濯中にズボンの脚部や長袖の部分がからみあって、一つの塊になってしまい、それらをからまなくするために、ズボンの脚部やシャツの袖に一本のベルトを通して輪にすることで、洗濯物がからまないように工夫した洗濯用ベルトを提供する。【解決手段】長尺状の軟質樹脂からなるベルトの一端にワンタッチバックル雌部を設け、ベルトの他端にワンタッチバックル雄部を設け、ベルトを洗濯物のズボンの両股の脚部やシャツの両長袖に輪状になるように通し、ワンタッチバックルの雌部と雄部を装着自在としたことを特徴とする。【選択図】図３
0003156965.tif 000002
【実用新案登録請求の範囲】
【請求項１】
長尺状の軟質樹脂からなるベルトの一端にワンタッチバックル雌部を設け、ベルトの他端にワンタッチバックル雄部を設け、ベルトを洗濯物のズボンの両股の脚部やシャツの両長袖に輪状になるように通し、ワンタッチバックルの雌部と雄部を装着自在としたことを特徴とする洗濯用ベルト。
【考案の詳細な説明】
【技術分野】
【０００１】  本考案は、ズボンや長袖シャツを電気洗濯機で洗うとき、洗濯中にズボンの脚部や長袖の部分がからみあって、一つの塊になってしまい、それらをからまなくするために、ズボンの脚部やシャツの袖に一本のベルトを通して輪にすることで、洗濯物がからまないように工夫した洗濯用ベルトに関するものである。
【背景技術】
【０００２】  従来、洗濯中ズボンの脚部や長袖シャツの袖の部分がからみあって、一つの塊になっていた。
【考案の概要】
【考案が解決しようとする課題】
【０００３】  そのために次のような問題点があった。
洗濯中ズボンの脚部や長袖シャツの袖の部分がからみあって、一つの塊になってしまう。
そのため、洗濯物を干すときにからみあった塊をほぐす煩わしさがあった。
本考案は、以上の問題点を解決するためになされたものである。
【課題を解決するための手段】
【０００４】  長尺状のビニール材、又は、軟質合成樹脂からなるベルトの一端にワンタッチバックル雌部を設け、ワンタッチバックルの先端に受け部を設け、ベルトの他端にワンタッチバックル雄部を設け、ワンタッチバックル雄部の先端に挿入部を設け、ワンタッチバックル雌部の受け部とワンタッチバックル雄部の挿入部は着脱自在とする。
本考案は以上のことを特徴とした洗濯用ベルト。
【考案の効果】
【０００５】  ベルトの両端にはワンタッチのバックルを付けているので、装着の取り外しが簡単にできる。
一本のベルトをズボンの脚部やシャツの袖部分に通して、ベルトを輪にすることで、ズボンの脚部やシャツの袖などが、まったくからまなくなり簡単に取り外すことができる。
【図面の簡単な説明】
【０００６】
【図１】  本考案の斜視図である。
【図２】  本考案の斜視図である。
【図３】  本考案の使用状態を示した斜視図である。
【図４】  本考案の使用状態を示した斜視図である。
【考案を実施するための形態】
【０００７】    以下本考案の実施の形態について説明する。
（イ）長尺状のビニール材、又は、軟質合成樹脂からなるベルト（１）の一端にワンタッ    チバックル雌部（２）を設け、ワンタッチバックル雌部（２）の先端に受け部（３）    を設ける。
（ロ）ベルト（１）の他端にワンタッチバックル雄部（４）を設け、ワンタッチバックル    雄部（４）の先端に挿入部（５）を設ける。
（ハ）ワンタッチバックル雌部（２）の受け部（３）とワンタッチバックル雄部（４）の    挿入部（５）は着脱自在とする。
本考案は以上のような構成である。
本考案を使用するときは、図３のように洗濯物のズボン（６）の脚部やシャツの長袖にベルト（１）を通し、ベルトのワンタッチバックル雌部（２）とワンタッチバックル雄部（４）を裾（７）から出す。
その後、ワンタッチバックル雌部（２）の受け部（３）にワンタッチバックル雄部（４）の挿入部（５）を差し込むことにより装着する。
そのまま洗濯機に入れて洗ったとき、ズボンの脚部やシャツの長袖はベルトが芯となっているので、からまり一塊になることはない。
洗濯後は、ベルト（１）のワンタッチバックル雄部（４）は簡単に外すことができる。
【符号の説明】
【０００８】      １  ベルト
２  ワンタッチバックルの雌部
３  受け部
４  ワンタッチバックルの雄部
５  挿入部
６  ズボン
７  裾
【図１】
0003156965.tif 000003
【図２】
0003156965.tif 000004
【図３】
0003156965.tif 000005
【図４】
0003156965.tif 000006
(57)【要約】      （修正有）【課題】一般封筒の基本形態を持ち、その表面に表示機能を持って意匠性に優れる封筒とされる実用性に優れる封筒を提供する。【解決手段】封筒はＡ４判紙収納用の大きさを有し、市販される無模様の封筒の前面４の上側と下側とに沿って、セロハン等の透明樹脂フィルム２よりなる保持部３を備える。保持部３は透明樹脂フィルム２の点線で示す部分を接着剤で貼り付け、その向かい合う側それぞれが開放縁５とする。又、上記保持部３に表示用シート６を保持させ、この表示用シート６としては、企業名やその住所等よりなる企業情報８、さらには、製品情報９等が表示されたものを使用し、その上縁１０と下縁１１とが開放縁５から差し入れられることで、表示用シート６を封筒１の前面４に配置保持させて該封筒を構成する。【選択図】図２
0003156968.tif 000002
【実用新案登録請求の範囲】
【請求項１】
表示用シートの周縁を納めることでその表示用シートを封筒前面に配置保持する保持部を一体に備える封筒。
【請求項２】
前記保持部が透明樹脂フィルムにより形成される請求項１記載の封筒。
【請求項３】
Ａ４判紙収納用封筒であるとともに、前記保持部が前記封筒前面の周縁に設けられ、前記表示用シートとしてＡ４判のものを配置保持する請求項２記載の封筒。
【考案の詳細な説明】
【技術分野】
【０００１】  この考案は、Ａ４判紙収納用封筒等の改良に関する。
【背景技術】
【０００２】  企業展示会では、各ブースにおいてＡ４判紙収納用の封筒内に製品カタログ冊子等を納めて来場者に提供する。その際使用する封筒は表面印刷がなされた企業専用のものが使用されるが、小規模企業は専用の封筒を製作していない場合が多く、その際には表面が無模様の一般に使用される封筒が用いられる。また、企業展示会の受付においても、展示企業のカタログ冊子等を封筒に納めて来場者に提供する。この場合にも費用面が考慮されて展示会専用の封筒が用いられることなく、表面が無模様の一般に使用される封筒が用いられることがある。
【考案の概要】
【考案が解決しようとする課題】
【０００３】  そのような一般の封筒は意匠性に乏しく見栄えが悪いとともに、受け取った者はその内容物が外部より判明しにくいので、持ち帰った場合にそのままどこかに置き忘れたり、また、資料整理する場合にも一々その内容物を取り出し確認する必要があった。【０００４】  この考案は、一般封筒の基本形態を持ち、その表面に表示機能を持って意匠性に優れる封筒とされる実用性に優れる封筒を提供することを目的とする。【０００５】  この考案では、表示用シートの周縁を納めることでその表示用シートを封筒前面に配置保持する保持部を一体に備える封筒を提供する。【０００６】  上記構成の封筒は、保持部により表示用シートを保持させることで、前面が表示用シートにおける表示内容を呈する。封筒の形態は適宜であってよく、表示用シートを適宜選択して用いることで、封筒の前面には封筒の使用に対応した所望の表示がなされる。【０００７】  とくに、保持部が透明樹脂フィルムにより形成されることで、表示用シートの表示内容の全体が隠れることなく表示される。さらに、封筒がＡ４判紙収納用封筒とされ保持部が封筒前面の周縁に設けられて表示用シートとしてＡ４判のものを配置保持する構成とされることで、企業展示会や社内等の回覧用として好適に用いられる封筒が得られる。
【考案の効果】
【０００８】  この考案によれば、一般封筒の基本形態を持ち、表示用シートが用いられることでその表面に表示機能を持って意匠性に優れる封筒とされる実用性に優れる封筒が得られる。とくに、封筒の使用に対応した所望の表示が前面に行えて、企業展示会や回覧用として好適に用いられる封筒が得られる。
【図面の簡単な説明】
【０００９】
【図１】  この考案の封筒の実施形態の外観斜視図
【図２】  この考案の封筒の実施形態の使用状態斜視図
【図３】  この考案の封筒の実施形態の異なる使用状態斜視図
【図４】  この考案の封筒の異なる実施形態の外観斜視図
【図５】  この考案の封筒のさらに異なる実施形態の外観斜視図
【図６】  この考案の封筒のさらに異なる実施形態の外観斜視図
【考案を実施するための形態】
【００１０】  図１はこの考案の封筒の実施形態の外観斜視図である。封筒１はＡ４判紙収納用の大きさを有し、市販される無模様の封筒の前面４の上側と下側とに沿って、セロハン等の透明樹脂フィルム２、２よりなる保持部３、３が備えられている。保持部３、３は透明樹脂フィルム２、２の点線で示す部分が接着剤で貼り付けられることで取り付けられ、その向かい合う側それぞれが開放縁５、５とされている。
【００１１】  図２は上記保持部３、３に表示用シート６を保持させた状態を示す。この表示用シート６としては、企業名やその住所等よりなる企業情報８、さらには、製品情報９等が表示されたものが使用され、その上縁１０と下縁１１とが開放縁５、５から差し入れられることで、表示用シート６は封筒１の前面４に配置保持されている。この状態において、保持部３、３それぞれが透明樹脂フィルム２、２よりなるので、表示用シート５の表示情報の全体が保持部３、３に隠されることなく表示される。
【００１２】  このように封筒１の前面に表示用シート６が取り付けられることで、封筒１表面は企業情報８、製品情報９等の表示を持つものとなる。したがってこの封筒１は企業専用の封筒１に代えて使用することができるとともに、製品の宣伝効果も奏するもので、内部にカタログ冊子等を収納して用いることで企業展示会等において好適に用いられる。
【００１３】  図３は上記保持部３、３に名簿形態の表示用シート６を保持させた状態を示し、この封筒１は内部に回覧用書類を納めて社内等の回覧に用いる。
【００１４】  図４はこの考案の封筒１の異なる実施形態の外観斜視図である。この実施形態の封筒１では、その前面４の下側とそれより少し上側とに上記実施形態のものと同様の保持部３、３が備えられている。表示用シート６としては、企業名やその住所等よりなる企業情報８が表示されたものが使用される。
【００１５】  図５はこの考案の封筒のさらに異なる実施形態の外観斜視図である。この封筒１ではその前面４の両側に沿って、セロハン等の透明樹脂フィルム２、２よりなる保持部３、３が備えられている。封筒１は、保持部３、３のそれぞれが表示用シート６の両側部を保持するように使用されることで図１に示す実施形態のものと同様に用いられる。
【００１６】  図６はこの考案の封筒のさらに異なる実施形態の外観斜視図である。この封筒１ではその前面４の４隅位置にセロハン等の透明樹脂フィルム２、２、２、２よりなる保持部３、３、３、３が備えられている。封筒１は、保持部３、３、３、３のそれぞれが表示用シート６の４隅部を保持するように使用されることで図１、図５に示す実施形態のものと同様に用いられる。
【符号の説明】
【００１７】  １    封筒
２    透明樹脂フィルム
３    保持部
４    前面
６    表示用シート
【図１】
0003156968.tif 000003
【図２】
0003156968.tif 000004
【図３】
0003156968.tif 000005
【図４】
0003156968.tif 000006
【図５】
0003156968.tif 000007
【図６】
0003156968.tif 000008
(57)【要約】      （修正有）【課題】耐食性のよい、軽くて丈夫で、耐熱性、生体適合性、デザイン性に優れた容器を提供する。【解決手段】容器の上部にはクランプ金具がパッキンを介して加圧容器蓋とともに密閉構造を形成し、加圧容器本体下端には脚部が形成され、加圧容器本体の脚部には、その側面に開口が形成されており、加圧容器本体の底部と設置床面とに隙間を形成する。【選択図】図１
0003156962.tif 000002
【実用新案登録請求の範囲】
【請求項１】
容器の上部にはクランプ金具がパッキンを介して加圧容器蓋とともに密閉構造を形成し、加圧容器本体下端には脚部が形成され、該加圧容器本体の脚部には、その側面に開口が形成されており、該加圧容器本体の底部と設置床面とに隙間を形成したことを特徴とする液体容器。
【考案の詳細な説明】
【技術分野】
【０００１】  本考案は、液体容器に関するものであり、さらに詳しくはチタン製醸造熟成の液体容器に関するものである。
【背景技術】
【０００２】  従来、液体容器は各種材料で成形されている。例えば液状食品用容器で、非常に簡単な構造で、かつ低コストで、液体または液状の食品の風味を長期間に亘って損なうことのない容器として、容器を三層構造のポリエチレンフィルムとその外側に配置されるポリエチレンシートとから構成されており、ポリエチレンフィルムの厚さはそれぞれ約１０μｍで、液状食品に直接接触する最も内側のポリエチレンフィルムの中には、アルミノケイ酸塩を主成分とする無機化合物粉末の内部に抗菌性金属を均一に分散してなる平均粒子径が約３μｍの複合粉末が最も内側のポリエチレンフィルムに対して５重量％の割合で分散されており、液状食品として生酒を入れて脱気し、密封フィルムで密閉して６０日間室温で保存したところ、蔵出し直後の生酒と変わらない風味が保たれる生酒等の容器の提案（特開２００８−１９５４４２）されており、醸造酒・生ジュース・スープ等の容器として有用なものがある。（特許文献１）
然しながら特許文献１は、底部が脚部により閉塞されているため床材によって異なるが床面の温度に影響され熱を奪われることがある。さらに構造が複雑で、外観が材質から来るプラスチック観があり、高級感に欠けるものである。【０００３】
【特許文献１】特開２００８−１９５４４２号公報
【考案の開示】
【考案が解決しようとする課題】
【０００４】  本考案は、上記に鑑み保存効果があり、重厚感があり、美感の良い容器を提供することにある。
酒類、醤油、含塩液体を貯蔵中の容器から材料成分が溶出すると、わずかな溶出量であっても内容物の味を変質させてしまう。【０００５】  また、従来、酒類、醤油、含塩液体の貯蔵にはガラス、陶器、木材、紙、合成樹脂が一般的に用いられているが、衝撃に弱く、破損しやすいという欠点がある。さらにチタン以外の金属容器を用いた場合には金属の酸化が促進され、内容物の味が変質すると同時に容器の腐食が起り易く、錆び難く破損し難いステンレスでもごく僅か容器材料の溶出があり、内容物の変質を避けることができない。【０００６】  さらに、醤油・酢、食品醸造用容器や、化学薬品、製薬、医療など耐食や抗菌を必要な容器にも利用できるものを提供することを求められている。【０００７】  耐食性のよい、軽くて丈夫で、耐熱性、生体適合性、デザイン性に優れた容器の提供が求められている。
これらを一挙に解決する事が、本考案の課題である。
【課題を解決するための手段】
【０００８】  本考案は、かかる従来の課題を解決するものである。
本考案は、チタン製の容器を提供するものであり、チタンは比重が４．５１とステンレスの約６０％と軽く、強度は鉄の２倍、耐食性は白金に匹敵し、耐熱性、生体適合性、そしてデザインの自由度の高い金属である。【０００９】  本考案により、チタンの特性を活かしつつ、食品や生酒の長期保存にも風味を損なわない容器を提供することができる。【００１０】  また、容器の底面、側面、上面が全て室温に影響されるため、容器内の内容物が均一温度となり、自然循環が効率的に行えるように形成された容器を提供するものである。さらにデザイン性や重厚感、高級感さらには長期の使用に耐えうる容器の提供を可能とするものである。【００１１】  本考案を実施例に従って説明する。
本考案は図１に示すように、容器Ａの上部にはクランプ金具１がパッキン２を介して加圧容器蓋３とともに密閉構造を形成している。加圧容器本体４の上端には対向する二ヶ所に持ち手５下端には脚部６が形成されている。
上記加圧容器本体４の脚部６には、その側面に直径１０φの開口７が側面周囲の八ヶ所に形成されており、保管時など底部の脚部６内の空気の滞留を防止し容器本体４の側面温度と同一の温度を維持するようになしている。【００１２】  図１の底部の脚部６の部分拡大図であり、脚部６周囲に開口７が開設されていることが分かる。【００１３】  上述の開口７は、実施例では直径１２φの孔を六ヶ所形成したが、直径の大きさや個数は任意であるが、脚部６の側面面積の約１５％程度の孔の開口面積となるように形成されているが、外気との循環を考えると開口面積割合は１０％から３０％とすることが望ましい。
【考案を実施するための最良の形態】
【００１４】  以下、本考案の好適な実施形態を説明する。
容器Ａは高さ５０２．９ｍｍ、厚さ１ｍｍのチタンで加圧容器本体４が形成されている。また、加圧容器本体４の直径は２４０φで形成され、脚部６の下端から加圧容器本体４の外面下端までは、１５ｍｍの高さで地面などから浮いた状態に維持できるように成してある。また、上部の流出入口８はその直径が１００φで形成されている。
【産業上の利用可能性】
【００１５】  以上説明したように本考案は、容器の底面が床面に接触しておらず、かつ開口により外気と遮断されていないため、容器の底部のみが冷やされ内容物の自然循環が損なわれることがない。また、その材質としてチタンにより形成されているため、チタンは比重が４．５１とステンレスの約６０％と軽く、強度は鉄の２倍であり、耐食性は白金に匹敵するものであり、耐熱性、生体適合性、さらにはデザイン性にも優れており、医療器具にも使用されていることからも安全性の高い金属である。
また、酒類、醤油、含塩液体を貯蔵中の容器から材料成分が溶出すると、僅かな溶出量であっても内容物の味を変質させてしまうが、チタンは表面に強固な酸化物被膜が形成されて金属イオンを溶出しないため、これら貯蔵、輸送用容器に用いた場合にも味の変質や容器腐食が全く発生しない。このことに加えて容器の底部に外気との通気口が形成されているため、容器内の液体に底部との温度差による内容物の自然循環を阻害することがないため、長期保存しても何ら味を損なうことがない。
【図面の簡単な説明】
【００２０】
【図１】  本考案の実施例を示す一部断面の正面図である。
【符号の説明】
【００２１】Ａ  容器
１  クランプ金具
２  パッキンシール
３  加圧容器蓋
４  加圧容器本体
５  持ち手
６  脚部
７  開口
８  流出入口
【図１】
0003156962.tif 000003
(57)【要約】      （修正有）【課題】ＣＯ２ガスとエンジン騒音を発生しない電気エネルギーによりドライブする運河運行電気自動船を提供する。【解決手段】架線２から電気を取るパンタグラフ１により船３の有するモーター４、あるいはウォータージェット５、ホーバークラフト６、空中プロペラ７をドライブして運河８を運行する電気自動船。パンタグラフ１、使用不可の時の蓄電のための蓄電器（池）９の使用による。【選択図】図１
0003156958.tif 000002
【実用新案登録請求の範囲】
【請求項１】
運河に設けた架線から電気を取るパンタグラフを有した運河運行電気自動船。
【請求項２】
運河運行にモーターを具備した請求項１記載の運河運行電気自動船
【請求項３】
運河運行にウォータージェットを具備した請求項１記載の運河運行電気自動船
【請求項４】
運河運行にホーバークラフトを具備した請求項１記載の運河運行電気自動船
【請求項５】
運河運行に空中プロペラを具備した請求項１記載の運河運行電気自動船
【請求項６】
運河運行に蓄電器（池）を具備した請求項１記載の運河運行電気自動船
【考案の詳細な説明】
【技術分野】
【０００１】
本考案は、従来の運河運行船としての地球温暖化ＣＯ２対策運河運行電気自動船に関する。
【背景技術】
【０００２】
静岡県清水〜下田防災船兼カーフェリーテクノスーパーライナー/希望があります。
【考案の開示】
【考案が解決しようとする課題】
【０００３】
しかしながら、テクノスーパーライナーでは、エンジン音の騒音と使用済ＣＯ２ガスの処理もないため地球温暖化対策ＣＯ２問題があるという欠点がある。
【０００４】
本考案は、上記実情に鑑みてなされたものであり、燃料の代替エネルギー検討とＣＯ２ガス対策を目的としている。。
【課題を解決するための手段】
【０００５】
上記目的を達成するため考案は、ＣＯ２ガスを発生しない電気エネルギーにより騒音防止手段を有することであり、次の構成を含むことを特徴としている。
運河に設けた架線から電気を取るパンタグラフにより船の有するモーター、あるいはウォータージェット、ホーバークラフト、空中プロペラをドライブする構成である。パンタグラフを使用できない場合のために蓄電する蓄電器（池）も有する。
【考案の効果】
【０００６】
本考案により、ＣＯ２ガスとエンジン騒音を発生しない電気エネルギーによりドライブする運河運行電気自動船にできる。
【図面の簡単な説明】
【０００７】
【図１】本考案の運河運行電気自動船図である。運河運行電気自動船図は図１に示すように、パンタグラフ１、架線２、船３、モータ４、ウォータージェット５、ホーバークラフト６、空中プロペラ７、運河８、蓄電器（池）９、である。
【考案を実施するための形態】
【０００８】
本考案の実施の形態の一例について、図面を参照しながら説明する。
運河運行電気自動船は、図１に示すように、運河８、に設けた架線２、から電気を取るパンタグラフ１、により船３、の有するモーター４、あるいはウォータージェット５、ホーバークラフト６、空中プロペラ７、をドライブする事によりエンジンの騒音と地球温暖化ＣＯ２削減対策を果すものである。パンタグラフ１、が使用できない場合のために蓄電しておく蓄電器（池）９、を有する。
【符号の説明】
【０００９】
・  パンタグラフ
・  架線
・  船
・  モーター
・  ウォータージェット
・  ホーバークラフト
・  空中プロペラ
・  運河
・  蓄電器（池）
【図１】
0003156958.tif 000003
【手続補正書】
【提出日】平成21年10月23日(2009.10.23)
【手続補正１】
【補正対象書類名】明細書
【補正対象項目名】０００９
【補正方法】変更
【補正の内容】
【０００９】
１      パンタグラフ
２      架線
３      船
４      モーター
５      ウォータージェット
６      ホーバークラフト
７      空中プロペラ
８      運河
９      蓄電器（池）
【手続補正書】
【提出日】平成21年11月20日(2009.11.20)
【手続補正１】
【補正対象書類名】実用新案登録請求の範囲
【補正対象項目名】請求項６
【補正方法】変更
【補正の内容】
【請求項６】
運河運行に蓄電器又は蓄電池を具備した請求項１記載の運河運行電気自動船。
(57)【要約】      （修正有）【課題】タンスの隙間や机の下等、埃が見えにくい所も明るく照らし、効率よく掃除ができる掃除機用ライトホルダー付連結具を提供する。【解決手段】一方に掃除機のノズルを取り付けるノズル取付口を、他方に掃除機のホースを取り付けるホース取付口を設けてなる筒状の連結具本体に、ライトホルダーを設けてなることを特徴とする。【選択図】図１
0003156938.tif 000002
【実用新案登録請求の範囲】
【請求項１】
一方に掃除機のノズルを取り付けるノズル取付口を、他方に掃除機のホースを取り付けるホース取付口を設けてなる筒状の連結具本体に、ライトホルダーを設けてなることを特徴とする掃除機用ライトホルダー付連結具。
【請求項２】
連結具本体に、ライトホルダーを前後に移動すべく移動具を設けてなることを特徴とする請求項１記載の掃除機用ライトホルダー付連結具。
【請求項３】
連結具本体をテーパー状に形設してなることを特徴とする請求項１又は２記載の掃除機用ライトホルダー付連結具。
【考案の詳細な説明】
【技術分野】
【０００１】本考案は、掃除をする時に、掃除機のノズル等を着脱自在に取り付ける掃除機用ライトホルダー付連結具である。
【背景技術】
【０００２】従来の技術としては、吸込み用ノズルに繋がる取っ手部に、該ノズル部に向けて光源の光軸を合わせた状態でスイッチを持った照明具を取り付けた事を特徴とする電気掃除機。（特許文献１参照）【０００３】また、別の従来技術として、電動送風機を収容した掃除機本体と、被掃除面を清掃可能な補助清掃体を先端部に備え、基端が前記電動送風機の吸込側に連通して前記掃除機本体に接続される管部と、この管部の先端側に着脱可能で前記補助清掃体より広い部分を清掃可能な吸込口体と、前記管部に設けられ、この管部の前方に光を照射する光源と、前記管部の先端部に前記吸込口体を取り付けた状態で、前記光源からの光を前記吸込口体の長手方向前方に拡散可能な拡散体とを具備したことを特徴とした電気掃除機。（特許文献２参照）
【先行技術文献】
【特許文献】
【０００４】
【特許文献１】実用新案登録第３１４９３３９号  公報
【特許文献２】特開２００８−１６１４７２号  公報
【考案の概要】
【本案が解決しようとする課題】
【０００５】上記前者は、吸込み用ノズルに繋がる取っ手部に照明具を取り付けてなるもので、全体を明るくするのにはよいが、机の下や隙間等の局所を明るくするのには適していない。
【０００６】上記後者は、一般の掃除機のノズルやホースに取り付けられるものではなく、専用具としてのもので、汎用性がないものである。
【０００７】本考案は、上記の問題点に鑑みなされたもので、特に連結具本体に設けたライトによりタンスの隙間や机の下等、埃が見えにくい所も明るく照らし、効率よく掃除ができる掃除機用ライトホルダー付連結具を提供することを目的とする。
【課題を解決するための手段】
【０００８】本考案は、一方に掃除機のノズルを取り付けるノズル取付口を、他方に掃除機のホースを取り付けるホース取付口を筒状の連結具本体に、ライトホルダーを設けてなることを特徴とする掃除機用ライトホルダー付連結具。連結具本体に、ライトホルダーを前後に移動すべく移動具を設けてなる。連結具本体をテーパー状に形設してなる掃除機用ライトホルダー付連結具である。
【考案の効果】
【０００９】１）、連結具本体にライトホルダーを設け、このライトホルダーにライトを取り付けることにより、ノズルの近くを明るく照らす事ができ、夜間の掃除や隙間等見えにくい所を楽々掃除できる効果がある。
２）、ライトホルダーを前後に移動する移動具を設けることにより、場所に合わせてライトの位置を調整できる効果がある。
３）、連結具本体をテーパー状にすることにより、一般に販売されている掃除機のホース等に簡単に取り付けることができる。
【図面の簡単な説明】
【００１０】
【図１】  本考案の第１実施例を示す掃除機用ライトホルダー付連結具の平面図。
【図２】  本考案の第１実施例を示す掃除機用ライトホルダー付連結具の左側面図。
【図３】  本考案の第１実施例を示す掃除機用ライトホルダー付連結具の正面図。
【図４】  本考案の第１実施例を示す掃除機用ライトホルダー付連結具の縦断正面図。
【図５】  本考案の第１実施例を示す掃除機用ライトホルダー付連結具の使用状態図。
【考案を実施するための形態】
【実施例】
【００１１】１は、掃除機用ライトホルダー付連結具である。
２は、テーパー状に形設した円筒体による連結具本体で、一方に掃除機のノズルを取り付けるノズル取付口２ａを、他方に掃除機のホースを取り付けるホース取付口２ｂをそれぞれ設けてある。
３は、ライトホルダーで、上部に円弧状の狭持部３ａを、下部にはビス３ｂ１とアンカー３ｂ２とからなる支持部３ｂを一体的に連結して設けてある。
４は、連結具本体２の上面に設けてなるライトホルダー３を前後に移動する移動具で、アンカー３ｂ２を挿入する挿入口４ａ及び溝４ｂを形設してなるものである。【００１２】次に、掃除機用ライトホルダー付連結具１の使用例について説明する。
まず、掃除機用ライトホルダー付連結具１のノズル取付２ａにノズルＮを取り付け、次に、ホース取付口２ｂにホースＨを取り付け、ライトホルダー３の狭持部３ａにライトＲを挟み込んで取り付ける。この時、必要に応じてビス３ｂ１を緩め、アンカー３ｂ２を移動具４内にて移動させ、再度ビス３ｂ１を締め付けて固定する。【００１３】この状態で、隙間等にノズルＮを入れライトＲの光ＨＫにてゴミ（図示せず）を容易に除去することができるものである。【００１４】上記実施例において、各部材の材質は特に限定するものではない。
また、ライトも一般に販売されているものを使用すればよい。
さらに、ライトホルダーや移動具を、同様な状態を有するものであれば、他の形態でもよい。
【符号の説明】
【００１５】１−−−掃除機用ライトホルダー付連結具
２−−−連結具本体
２ａ−−ノズル取付口
２ｂ−−ホース取付口
３−−−ライトホルダー
３ａ−−狭持部
３ｂ−−支持部
３ｂ１−ビス
３ｂ２−アンカー
４−−−移動具
４ａ−−挿入口
４ｂ−−溝
Ｈ−−−ホース
ＨＫ−−光
Ｎ−−−ノズル
Ｒ−−−ライト
【図１】
0003156938.tif 000003
【図２】
0003156938.tif 000004
【図３】
0003156938.tif 000005
【図４】
0003156938.tif 000006
【図５】
0003156938.tif 000007